(57)【特許請求の範囲】
【請求項１】
苗木に被せて使用する、所定形状の合成樹脂製シート体を組み立ててなる、両端が開口した筒状の苗木保護カバーであって、
合成樹脂製シート体は、一方の端部に複数の緊締片を有すると共に、他方の端部近傍の各緊締片に相応する位置に、緊締片を挿通させ、係止するためのスリットを有し、
合成樹脂製シート体の各緊締片を、相応するスリットに挿通・係止させることにより筒状に組み立てたものであり、
合成樹脂製シート体の端部近傍に設けられた各スリットの間に、複数の緊締片を有する他方の端部における、緊締片の間となる部分を挿入するための挿入部を形成してなることを特徴とする苗木保護カバー。
【請求項２】
合成樹脂製シート体におけるスリット及び挿入部の形成位置が一直線上にならないように、互い違いになるように形成することを特徴とする請求項１に記載の苗木保護カバー。
【請求項３】
各緊締片が、苗木保護カバーを固定するために隣接して立設された支柱を挿通させる輪状部を形成するようにした請求項１または２に記載の苗木保護カバー。
【請求項４】
合成樹脂製シート体が、当該合成樹脂製シート体を組み立てて得られる苗木保護カバーの外表面となる側の表面に、当該苗木保護カバーの長さ方向に沿った複数本の凹溝が形成されている合成樹脂製シート体である請求項１〜３のいずれか一項に記載の苗木保護カバー。
【請求項５】
苗木保護カバーの形状が円筒形である請求項１〜４のいずれか一項に記載の苗木保護カバー。
【発明の詳細な説明】
【０００１】
【発明の属する技術分野】
本発明は、植樹した苗木に被せて使用する、両端が開口した筒状の苗木保護カバーに関するものである。
【０００２】
【従来の技術】
従来より、山林等に植樹した苗木が、鹿、兎、鼠等の動物に食べられたりすること（獣害）を防止するため、植樹した苗木がある程度生長するまで、両端面が開口した透明或いは半透明の筒状の苗木保護カバーを被せて育成する方法が採用されている。
【０００３】
この苗木保護カバーとしては、ポリプロピレン等からなる合成樹脂製シートを所定形状に打ち抜くと同時に、所定箇所に折り目線を形成した所定形状の合成樹脂製シート体を当該折り目線形成箇所で折り曲げた後、所定箇所を固着して、両端が開口した断面形状が多角形の筒状としたもの等が知られている。
特に、山林地帯の多い我が国では、この苗木保護カバーとして、嵩張らないように折り畳んだ状態が運搬することができる、断面形状が正六角形等の正偶数角形となったものが多く使用されている。
【０００４】
【発明が解決しようとする課題】
ところで、上記の断面形状が多角形となった苗木保護カバーは、運搬時に嵩張らないという利点はあるものの、製造時に手間がかかるという問題がある。
すなわち、合成樹脂製シートを所定形状に打ち抜くと同時に折り目線を形成する工程、折り曲げる工程、所定箇所を固着する工程、とからなるため、工程数が必然的に多くなるばかりでなく、折り曲げる工程など手作業に頼らざるを得ないような工程があるといった問題や、合成樹脂製シートを打ち抜く際にも、同時に折り目線を形成することになるため、複数枚の合成樹脂製シートを重ねた状態で打ち抜くという方法が採用できず、大量生産には不向きであるといった問題があった。
【０００５】
更に、上記のような苗木保護カバーは、苗木に被せるように設置する際の作業性に劣るといった問題もある。
すなわち、上記のような製造工程においては、折り曲げる箇所を必要最小限、具体的には、二箇所のみを折り曲げ、固着しようとする部分を重合させた後、当該箇所を固着し、このようにして得られた苗木保護カバーを梱包して、現地（苗木を植樹した箇所）に運搬するため、現地で設置するときに、上記の製造工程で折り曲げなかった箇所を折り曲げて断面形状が正六角形の筒状とすることになるが、製造工程中に折り曲げていない箇所は、折り癖が付いておらず、作業台等の存在しない山林中においての折り曲げ作業は、極めて困難であり、そのための時間と手間を要するのである。
一方、製造工程時において、全ての折り目線形成部分に折り癖を付けておくことも不可能なことではないが、製造工程における手間が更に増大するといった問題や、このように折り癖を付けた場合、梱包作業が困難となるといった問題がある。
【０００６】
本発明は、上記のような問題を解決するためになされたものであり、製造工程での工程数を軽減し、かつ、設置時の作業性もよい苗木保護カバーを提供するものである。
【０００７】
【課題を解決するための手段】
上記課題を解決するためになされた本発明の苗木保護カバーは、一方の端部に複数の緊締片を有すると共に、他方の端部近傍の各緊締片に相応する位置に、緊締片を挿通させ、係止するためのスリットを有し、
合成樹脂製シート体の各緊締片を、相応するスリットに挿通・係止させることにより筒状に組み立てたものであり、
合成樹脂製シート体の端部近傍に設けられた各スリットの間に、複数の緊締片を有する他方の端部における、緊締片の間となる部分を挿入するための挿入部を形成してなるものである。
【０００８】
【発明の実施の形態】
以下、図面に基づき、本発明の具体例について説明する。
図１は、本発明の苗木保護カバーを得るための合成樹脂製シート体の一例を示す図であり、図２は、図１に示す合成樹脂製シート体を組み立てている状態を示す図である。また、図３は、図１に示す合成樹脂製シート体を組み立てて得られる苗木保護カバーを示す図である。
図中の符号１は苗木保護カバー、符号１０は合成樹脂製シート体、符号１２Ａ〜Ｅは緊締片、符号１１Ａ〜Ｅは緊締片１２Ａ〜Ｅを挿通・係止するためのスリットを示している。
【０００９】
合成樹脂製シート体１０は、ポリプロピレンやポリエチレン等の合成樹脂に、帯電防止剤、紫外線吸収剤、ヒンダードアミン系光安定剤、酸化防止剤、滑剤、ブロッキング防止剤、無機充填剤、着色剤等の各種添加剤を必要に応じて添加して得た合成樹脂組成物を、押出機のＴダイより押し出すなどして得た合成樹脂製シートを所定形状に打ち抜いて得たものである。
【００１０】
本発明において使用する合成樹脂製シート体は、図１に示す合成樹脂製シート体１０のように、一方の端部に複数の緊締片を有すると共に、他方の端部近傍の各緊締片に相応する位置に、緊締片を挿通させ、係止するためのスリットを有している。
図１に示す合成樹脂製シート体１０も、五つの緊締片１２Ａ〜Ｅと、この緊締片１２Ａ〜Ｅを挿通・係止するためのスリット１１Ａ〜Ｅを有している。
【００１１】
図１に示す合成樹脂製シート体１０における緊締片１２Ａ〜Ｅは、その幅ｗ2 が、これを挿通・係止するためのスリット１１Ａ〜Ｅの幅ｗ1 と同等の帯状をなしており、また、その両端には、それぞれ二つずつの、直角三角形状に突出した係止片が形成されている。一方、スリット１１Ａ〜Ｅは、上記の緊締片１２Ａ〜Ｅに設けられた係止片に相応するように形成された、二つのスリットにより構成されている。
そして、図１に示す合成樹脂製シート体１０を組み立てるには、図２にも示すように、緊締片１２Ａ〜Ｅを、それぞれスリット１１Ａ〜Ｅに挿通させるのであるが、このとき、このスリット１１Ａ〜Ｅを構成する各スリットの両端部に、緊締片１２Ａ〜Ｅの両端に形成された各係止片が係止され、合成樹脂製シート体１０は、図３に示すような円筒形の苗木保護カバー１となる。
【００１２】
また、図１に示す合成樹脂製シート体１０は、上記した緊締片１２Ａ〜Ｅ及びスリット１１Ａ〜Ｅの他に、各スリットの間に、合成樹脂製シート体１０の緊締片１２Ａ〜Ｅを有する側の端部における、緊締片の間となる部分を挿入するための挿入部１１ａ〜ｄが形成されている。そして、上記のように緊締片１２Ａ〜Ｅを、スリット１１Ａ〜Ｅに挿通・係止させたとき、緊締片１２Ａ〜Ｅを有する側の端部における、緊締片の間となる部分が、この挿入部１１ａ〜ｄに挿入される。この図１に示す合成樹脂製シート体１０における挿入部１１ａ〜ｄは、合成樹脂製シート体１０の所定箇所に設けられた、略コ字状のスリットにより構成されるものである。
【００１３】
本発明の苗木保護カバーにおいて、上記したような挿入部を形成する意義は、上記した緊締片及びそれを挿通・係止させるためのスリットのみで筒状に組み立てた場合には、緊締片の間となる部分が、放物線状に浮き上がってしまうという問題があるため、それを抑制することにある。
すなわち、本来であれば放物線状に浮き上がってしまう筈の緊締片の間となる部分を、上記の挿入部に挿入することによって、当該部位の浮き上がりを抑えるのである。
【００１４】
尚、図１に示す合成樹脂製シート体１０におけるスリット１１Ａ〜Ｅ及び挿入部１１ａ〜ｄの形成位置が、互い違いになるようにしているが、それは、図１に示す合成樹脂製シート体１０のように合成樹脂製シート体に直接スリット（挿入部を形成するためのスリットも含む）を形成した場合に、これらが一直線上にあると、当該スリット形成箇所の強度が弱くなって、合成樹脂製シート体が当該箇所で折れ曲がり易くなってしまうからである。すなわち、図１に示す合成樹脂製シート体１０のように、スリットの形成箇所が一直線上とならないように分散させることによって、この合成樹脂製シート体の強度低下を抑え、折れ曲がってしまうようなことを抑制するのである。また、図１に示す合成樹脂製シート体１０においては、緊締片１２Ａ〜Ｅの長さも、それを挿通・係止するためのスリット１１Ａ〜Ｅの形成位置に応じて変えてあり（緊締片１２Ａ、Ｃ、Ｅは長さがＬＡ、緊締片１２Ｂ、Ｄは長さがＬＢとしてある）、合成樹脂製シート体１０の緊締片を有する端部における、緊締片の間となる部分の位置も、挿入部１１ａ〜ｄの形成位置に応じて変えてある（緊締片を有しない側の端部から遠い位置に形成されている１１ｂ、ｄに相応する合成樹脂製シート体１０の緊締片を有する側の端部に舌片状部１２ａ、ｂを形成することにより、緊締片を有する端部における、緊締片の間となる部分の位置を変えてある）。
【００１５】
また、図１に示す合成樹脂製シート体１０のように、緊締片を合成樹脂製シート体と一体的に形成するような場合においては、合成樹脂製シート体端部とによってなす角部Ｃは、図４（ａ）に示すようなテーパ状としたり、図４（ｂ）に示すような円弧状とするおくのが望ましい。すなわち、この角部Ｃが直角をなすようにしたのでは、この角部Ｃから裂け易くなってしまうので、それを抑制するため、図４（ａ）の緊締片１２’のように角部Ｃをテーパ状としたり、図４（ｂ）の緊締片１２”のように角部Ｃを円弧状としたりするのが望ましいのである。
【００１６】
次に、図５に示す、本発明苗木保護カバーの他の具体例を説明する。
この図５に示す例では、図１〜３に示す合成樹脂製シート体１０のように、五つの緊締片２２Ａ〜Ｅ（但し、緊締片２２Ｃ〜Ｅについては図示省略）とそれに相応するスリット２１Ａ〜Ｅ（但し、スリット２１Ｃ〜Ｅについては図示省略）が形成された合成樹脂製シート体２０を用いている。
【００１７】
図５に示す例においては、図１〜３に示す合成樹脂製シート体１０のようにスリットを合成樹脂製シート体２０に直接設けるのではなく、スリット２１Ａ〜Ｅを形成した帯状部材２１の両端部を、超音波溶着や接着剤を用いての接着等の手段により、合成樹脂製シート体２０に固着することによって、緊締片２２Ａ〜Ｅを挿通・係止するためのスリットを形成している。
また、図５に示す例では、スリット２１Ａ〜Ｅを形成した帯状部材２１の各スリットの間に舌片状部を形成することにより、挿入部２１ａ〜ｄ（但し、挿入部２１ｃ〜ｄは図示省略）を形成している。
【００１８】
この合成樹脂製シート体２０を組み立てて苗木保護カバーとするには、図１〜３に示す合成樹脂製シート体１０の場合と同様に、緊締片２２Ａ〜Ｅを、それぞれ相応するスリット２１Ａ〜Ｅに挿通・係止すると共に、緊締片２１Ａ〜Ｅを有する端部における、緊締片の間となる部分を、挿入部２１ａ〜ｄに挿入するようにして組み立てる。
【００１９】
尚、この図５に示す例のように、スリットを合成樹脂製シート体に直接設けないような場合であれば、合成樹脂製シート体の強度低下がないのであるから、図１〜３に示す例のようにスリットの位置を互い違いにする必要はない。また、それによって、緊締片の長さを変えたり、合成樹脂製シート体端部の位置を変えるための舌状部を形成したりする必要もない。
図５に示す例においても、各スリットＡ〜Ｅは一直線上に形成されていると共に、緊締片２２Ａ〜Ｅは同じ長さで、緊締片を設けた側の端部には、端部位置を変えるための舌状部は形成されていない。
【００２０】
図５に示す合成樹脂製シート体２０のように、スリットを合成樹脂製シート体に直接設けずに、合成樹脂製シート体とは別体の帯状部材にスリットを形成した合成樹脂製シート体を使用した場合、上記帯状部材を固着するという工程が増加するが、強度という面では、図１〜３に示す合成樹脂製シート体１０のような直接スリットを形成した合成樹脂製シート体を使用した場合よりも優れている。
逆に、図１〜３に示す合成樹脂製シート体１０のような直接スリットを形成した合成樹脂製シート体を使用した場合、強度という面では、合成樹脂製シート体とは別体の帯状部材にスリットを形成した合成樹脂製シート体を使用した場合よりも劣るが、合成樹脂製シートを所定形状に打ち抜くと同時にスリットも形成することができるので、極めて簡略な製造工程により製造することが可能であるという利点がある。
【００２１】
次に、図６〜７に示す、本発明苗木保護カバーの他の具体例を説明する。
この図６〜７に示す例は、基本的には図５に示す例と同様であるが、各緊締片３２Ａ〜Ｅが、苗木保護カバーを固定するために隣接して立設された支柱を挿通させる輪状部を形成するようにしたことと、合成樹脂製シート体３０の苗木保護カバーの上端部となる位置に、複数の三角形状片３３ａ及び各三角形状片３３ａの間の切り込み３３ｂを形成したことを特徴とするものである。
【００２２】
この合成樹脂製シート体３０を組み立てる場合には、まず、図７（ａ）に示すように、各緊締片３２Ａ〜Ｅを、それぞれ相応するスリット３１Ａ〜Ｅ（但し、スリット３１Ｂ〜３１Ｅは図示省略）に挿通させ、各緊締片３２Ａ〜Ｅの合成樹脂製シート体３０の端部に近い側に設けられた二つの係止片を当該スリット３１Ａ〜Ｅに係止すると共に、合成樹脂製シート体３０の緊締片を有する端部における、緊締片の間となる部分を挿入部３１ａに挿入させる。次いで、各緊締片３２Ａ〜Ｅの先端部を再びスリット３１Ａ〜Ｅに挿通させ、各緊締片３２Ａ〜Ｅの先端部に形成した係止片を、スリット３１Ａ〜Ｅを構成する二つのスリットのうちの端部に近い方のスリットに係止して、図７（ｂ）にも示すような輪状部３４を形成する。尚、このように輪状部を形成する場合、各緊締片の所定位置に、一或いは二以上の折り目線を形成してもよい。上記のようにして形成した輪状部３４は、苗木保護カバーを固定するために隣接して立設された支柱９を挿通させるものである。
【００２３】
図１〜３に示す合成樹脂製シート体１０を使用した苗木保護カバー１や図５に示す合成樹脂製シート体２０を使用した苗木保護カバー、或いは、従来の苗木保護カバーを設置するときには、苗木保護カバーを、その下端部が地中に埋設するようにして植樹した苗木に被せた後、当該苗木保護カバーに隣接するように立設した支柱に、合成樹脂製や金属製の紐状体（針金等も含む）を用いて固定するのであるが、この図６〜７に示す合成樹脂製シート体３０を使用して得た、輪状部３４を形成した苗木保護カバーは、このような紐状体を使用せずとも、支柱９に固定することができるという利点がある。
但し、このような輪状部を形成した苗木保護カバーであっても、紐状体を用いての固定を併用することは、勿論可能である。
【００２４】
一方、合成樹脂製シート体３０の上端部に形成された複数の三角形状片３３ａ及び各三角形状片３３ａの間の切り込み３３ｂは、例えば、鹿が苗木保護カバー上端から顔を突っ込んで、苗木保護カバーの上端近傍にまで生長した苗木の芽等を食べようとしたときに、三角形状片３３ａの先端部が当たって、痛みを感じるため、食べることを中止するといったように、苗木保護カバーの上端から、カバー内の苗木が食べられるようなことが抑制されると共に、例えば、苗木保護カバー上端よりも高く生長した苗木が、風等の作用によって揺れるなどして苗木保護カバーの上端に接したような場合であっても、当該苗木保護カバーは、その上端部の切り込み３３ｂの存在によって適度に撓むため、当該苗木保護カバーの上端によって苗木を傷付けられるようなことが抑制される。また、同様の理由によって、上記のように鹿が苗木保護カバー上端から顔を突っ込んで、苗木保護カバーの上端近傍にまで生長した苗木の芽等を食べようとして場合であっても、三角形状片３３ａの先端部で鹿が傷付くようなことは生じ難い。
【００２５】
尚、本発明の苗木保護カバーにおいて使用する合成樹脂製シート体は、通常、両面が平滑なものや、一方の面或いは両面に梨地や絹目等の微細凹凸絞を形成したものであるが、図８に示すような凹溝を形成したものであってもよい。
特に、この凹溝を、苗木保護カバーとしたときに外表面となる側の面に、苗木保護カバーとしたときの長さ方向に沿って形成した場合、円筒形に組み立てるときの作業性がより向上する。すなわち、このような凹溝を形成しない合成樹脂製シート体を円筒形にするのに比べ、図８に示すような凹溝４９を形成した合成樹脂製シート体４０を円筒形にする方が容易であり、従って、このような凹溝４９を形成した合成樹脂製シート体４０を使用した場合の方が、円筒形に組み立てるときの作業性が向上するのである。
また、このような凹溝を形成することにより、苗木保護カバー表面に傷が付いたとしても、その傷が目立たないという利点もある。
更にまた、このような凹溝は、緊締片にも設けることができる。特に、図６〜７に示すように、緊締片の先端部により輪状部を形成するような場合、この輪状部を形成するための作業性が向上するという利点がある。
尚、このような凹溝は、例えば、合成樹脂製シート体を打ち抜く前の合成樹脂製シートをシーティングするときに、或いは、シーティングした後でエンボス加工することにより形成されるものである。
【００２６】
上記の凹溝としては、苗木保護カバー表面の傷が目立たないようにするといった効果を充分に発現させるため、或いは、苗木保護カバーを数年間（通常では五年間程度）屋外に設置おくのに充分な強度を保持させるため、その表面に形成する凹溝における、凹溝同志の間隔Ｋ、凹溝の幅Ｗ、凹溝の深さＤ及び合成樹脂製シート体厚さＴが、数２に示す（１）〜（３）の関係を満足するようにするのが望ましい。
【数２】
（１）Ｋ≒Ｗ≒２Ｄ
（２）Ｔ≧１．３Ｄ
（３）０．１ｍｍ≦Ｋ≦２．０ｍｍ
【００２７】
以上、幾つかの具体例を挙げて本発明の苗木保護カバーについて説明してきたが、本発明の苗木保護カバーは、上記したような苗木保護カバーに限定されるものではない。例えば、上記した例では、いずれも緊締片を設けた側の合成樹脂製シート体端部における、緊締片の間となる部分を挿入するための挿入部を設けているが、各緊締片同志の間隔が狭いような場合や、緊締片の間となる部分が多少浮き上がってしまったとしても特段の支障がないような場合等であれば、緊締片を設けた側の合成樹脂製シート体端部における、緊締片の間となる部分を挿入するための挿入部を設けなくてもよいし、上記した具体例では二つのスリットにより緊締片を挿通・係止するためのスリットを構成しているが、緊締片を挿通・係止するためのスリットを構成するスリットの数は、これに限られるものではない。また、緊締片（それを挿通させるスリット）の数及びその間隔、緊締片（挿通させるスリット）の幅（図２中のｗ1 、ｗ2 に相当）及び長さ（図２中のＬＡ、ＬＢに相当）、緊締片の形状（その両端に設けられる係止片の形状を含む）等についても、それを組み立てて得られる苗木保護カバーの強度（特に、緊締部の強度）等に応じて設定される。更に、緊締片を別に成形し、これを合成樹脂製シート体に固着したようなものであってもよい。
【００２８】
更にまた、本発明苗木保護カバーの、緊締片をスリットに挿通・係止することにより筒状に組み立てるという構造（緊締構造）等は、円筒形のものにのみ採用されるというものではなく、断面形状が多角形となった筒状のものにも採用可能であることは言うまでもない。
但し、断面形状が多角形となった筒状の苗木保護カバーは、折り曲げ部を形成することが必須となるため、折り目線を形成する必要があるために工程数が増加するといった問題、折り曲げ部が他の部分よりも強度が低下するといった問題、このような苗木保護カバーを設置する際に折り目線形成箇所を折り曲げるための手間がかかるといった問題、等の問題を有することから、本発明苗木保護カバーとして特に好ましくは、その形状が円筒形となったものである。
【００２９】
上記のような構成からなる本発明の苗木保護カバーは、筒状に組み立てる前の状態（すなわち、合成樹脂製シート体の状態）で現地まで運搬し、設置する際に組み立てる。
従って、運搬時に嵩張るようなこともない。
【００３０】
【発明の効果】
以上詳述した通り、本発明の苗木保護カバーは、従来より多く使われている断面が正偶数角形（正六角形等）となった苗木保護カバーに比べて、簡略な製造工程により製造することが可能であると共に、運搬時に嵩張るようなこともなく、かつ、それを設置する際の作業性にも優れるものである。
また、苗木が充分に生長した後、当該苗木に被せた苗木保護カバーを外す場合も、緊締片を切断するだけで容易に外すことができるといった利点もある。
【００３１】
また、緊締片が、苗木保護カバーを固定するために隣接して立設された支柱を挿通させる輪状部を形成するようにした場合には、従来では使用せざるを得なかった紐状体を使用せずとも、或いは、従来よりも少ない数の紐状体を用いるだけで、苗木保護カバーを支柱に固定することができるという利点がある。
【００３２】
更に、合成樹脂製シート体として、当該合成樹脂製シートを組み立てて得られる苗木保護カバーの外表面となる側の表面に、当該苗木保護カバーの長さ方向に沿った複数本の凹溝が形成されている合成樹脂製シート体を用いた場合、特に、上記数２に示す条件を満足する凹溝が形成された合成樹脂製シート体を用いた場合には、この合成樹脂製シート体を円筒形に組み立てるときの作業性が向上すると共に、苗木保護カバー表面に傷が付いた場合であっても、それが目立たないといった利点もある。
【００３３】
更にまた、本発明の苗木保護カバーの形状を円筒形とした場合には、製造工程の簡略化、設置時の作業性向上が著しいばかりでなく、例えば、断面形状が正六角形とした苗木保護カバーの場合、何らかの要因で潰れた折り曲げ部を鹿等が噛んで、苗木保護カバーを取り外してしまったり、苗木保護カバーを当該箇所から裂いてしまったりすることもしばしば発生していたが、円筒形の苗木保護カバーにあっては、潰れること自体が極めて発生し難く、また、潰れなければ鹿等が噛むことが事実上不可能であるため、このようなことが極めて発生し難いという利点もある。
【図面の簡単な説明】
【図１】本発明において使用する合成樹脂製シート体の一例を示す図である。
【図２】図１に示す合成樹脂製シート体を組み立てる状態を示す図である。
【図３】図１に示す合成樹脂製シート体を組み立てることにより得られた苗木保護カバーを示す図である。
【図４】緊締片の変形例（緊締片と合成樹脂製シート体端部との角部の変形例）を示す図である。
【図５】本発明において使用する合成樹脂製シート体の他の一例を組み立てる状態を示す図である。
【図６】本発明において使用する合成樹脂製シート体の他の一例を示す図である。
【図７】図６に示す合成樹脂製シート体を組み立てる状態を示す図である。
【図８】凹溝を形成した合成樹脂製シート体の一例を示す部分拡大断面図である。
【符号の説明】
１・・・苗木保護カバー
１０、２０、３０・・・合成樹脂製シート体
１１Ａ〜Ｅ、２１Ａ〜Ｂ、３１Ａ・・・緊締片を挿通・係止するスリット
１２Ａ〜Ｅ、２２Ａ〜Ｂ、３２Ａ〜Ｅ・・・緊締片
【図１】
0004074710.tif 000002
【図２】
0004074710.tif 000003
【図３】
0004074710.tif 000004
【図４】
0004074710.tif 000005
【図５】
0004074710.tif 000006
【図６】
0004074710.tif 000007
【図７】
0004074710.tif 000008
【図８】
0004074710.tif 000009